(57)【要約】【課題】小型の海底ケーブル積替え用シーブを提供する。【解決手段】シーブ１０は、シーブ本体１２が無限軌道であるチェーン１６を用いて構成されている。【選択図】図１
2016063594.tif 000002
【特許請求の範囲】
【請求項１】
海底ケーブルの積替え時に使用され、シーブ本体が無限軌道を用いて構成されていることを特徴とする海底ケーブル積替え用シーブ。
【請求項２】
前記シーブ本体の無限軌道が海底ケーブルの許容曲げ範囲で湾曲することを特徴とする請求項１に記載の海底ケーブル積替え用シーブ。
【請求項３】
前記シーブ本体の無限軌道は、複数のガイドで略半円の円弧状の並びとなるように配置され、前記無限軌道が円弧状に案内されることを特徴とする請求項２に記載の海底ケーブル積替え用シーブ。
【請求項４】
複数の前記ガイドは、フレームにそれぞれ支持されることを特徴とする請求項３に記載の海底ケーブル積替え用シーブ。
【請求項５】
複数の前記ガイドは、前記フレーム上で前記無限軌道の湾曲中心に向けて支持位置を変更可能であることを特徴とする請求項４に記載の海底ケーブル積替え用シーブ。
【請求項６】
少なくとも１つの前記ガイドが回転駆動されることで前記無限軌道が駆動されることを特徴とする請求項３ないし５の何れか一項に記載の海底ケーブル積替え用シーブ。
【請求項７】
少なくとも１つの前記ガイドが回転駆動されることで前記無限軌道が駆動され、
前記フレームは、前記ガイドを支持する支持フレームと、当該支持フレームを支持するメインフレームとを備え、前記ガイドを回転駆動する駆動源は、前記メインフレームに支持されることを特徴とする請求項５に記載の海底ケーブル積替え用シーブ。
【請求項８】
前記ガイドが歯車であり、前記無限軌道がチェーンであることを特徴とする請求項３ないし７の何れか一項に記載の海底ケーブル積替え用シーブ。
【請求項９】
前記無限軌道は幅方向の両側に海底ケーブル押さえを備えることを特徴とする請求項１ないし８の何れか一項に記載の海底ケーブル積替え用シーブ。
【請求項１０】
前記海底ケーブル押さえは、前記幅方向に移動自在に構成されていることを特徴とする請求項９に記載の海底ケーブル積替え用シーブ。
【発明の詳細な説明】
【技術分野】
【０００１】
本発明は、海底ケーブル積替え用シーブに関する。
【背景技術】
【０００２】
従来、海底ケーブルを船積み等する際、モーターで駆動されて自転する円形の滑車（シーブ）によって海底ケーブルを送る方法が知られている（例えば、特許文献１）。
【先行技術文献】
【特許文献】
【０００３】
【特許文献１】特開昭５８−２１３８号公報
【発明の概要】
【発明が解決しようとする課題】
【０００４】
しかしながら、上記従来の積替え用シーブでは、自転する円形のシーブを用いるため、シーブが大型になっている。特に、海底ケーブルは、海底ケーブルの径や種類によってケーブル曲げ半径が制限されており、積替え用のシーブは、ケーブル曲げ半径が大きなものに合わせて設定されるため、シーブの径が大きくなり、シーブの大きさ及び重量が大きくなってしまう。
本発明は、上述した事情に鑑みてなされたものであり、小型の海底ケーブル積替え用シーブを提供することを目的とする。
【課題を解決するための手段】
【０００５】
上記目的を達成するため、本発明は、海底ケーブルの積替え時に使用され、シーブ本体が無限軌道を用いて構成されていることを特徴とする海底ケーブル積替え用シーブを提供する。
本発明によれば、海底ケーブル積替え用シーブのシーブ本体が無限軌道を用いて構成されているため、無限軌道に沿わせて海底ケーブルを送ることができる。これにより、シーブ本体を円形にする必要がないため、海底ケーブル積替え用シーブを小型にできる。
【０００６】
また、本発明によれば、シーブ本体の無限軌道が海底ケーブルの許容曲げ範囲で湾曲するため、海底ケーブルを、湾曲する無限軌道に沿わせることができる。これにより、海底ケーブルと無限軌道との間の摩擦力を大きくでき、海底ケーブルを効率良く送ることができる。
また、本発明によれば、シーブ本体の無限軌道は、複数のガイドで略半円の円弧状の並びとなるように配置され、無限軌道が円弧状に案内されるため、湾曲した無限軌道を簡単な構成で得ることができるとともに、無限軌道を円形よりもコンパクトな略半円の円弧状にすることができ、海底ケーブル積替え用シーブを小型化できる。
【０００７】
また、本発明によれば、複数のガイドは、フレームにそれぞれ支持されるため、複数のガイドをフレームで確実に支持して無限軌道を構成できる。
【０００８】
さらに、本発明によれば、複数のガイドは、フレーム上で無限軌道の湾曲中心に向けて支持位置を変更可能であるため、複数のガイドの位置を変更することで無限軌道の湾曲形状を変更できる。このため、許容される曲げ半径が異なる海底ケーブルに対応できる。
【０００９】
また、本発明によれば、少なくとも１つのガイドが回転駆動されることで無限軌道が駆動されるため、簡単な構成で無限軌道を駆動できる。
また、本発明によれば、少なくとも１つの前記ガイドが回転駆動されることで無限軌道が駆動され、フレームは、ガイドを支持する支持フレームと、支持フレームを支持するメインフレームとを備え、ガイドを回転駆動する駆動源は、メインフレームに支持されるため、駆動源をメインフレームで強固に支持できる。
【００１０】
また、本発明によれば、ガイドが歯車であり、無限軌道がチェーンであるため、簡単な構造で無限軌道を形成できる。
さらに、本発明によれば、無限軌道は幅方向の両側に海底ケーブル押さえを備えるため、海底ケーブル押さえによって海底ケーブルを確実に支持して無限軌道で海底ケーブルを送ることができる。
また、本発明によれば、海底ケーブル押さえは、幅方向に移動自在に構成されているため、海底ケーブル押さえを移動することで、異なる径の海底ケーブルを押さえることができる。
【発明の効果】
【００１１】
本発明によれば、小型の海底ケーブル積替え用シーブを提供できる。
【図面の簡単な説明】
【００１２】
【図１】本発明の実施の形態に係るシーブを示す図である。
【図２】フレームの正面図である。
【図３】従動歯車及びチェーンの周辺部の拡大図である。
【図４】図３のケーブル支持部を拡大した図である。
【図５】ケーブル支持部をチェーンの周回方向に見た図である。
【図６】ケーブル支持部を海底ケーブル側から見た図である。
【図７】チェーンの構造を示す図である。
【発明を実施するための形態】
【００１３】
以下、図面を参照して本発明の一実施の形態について説明する。
図１は、本発明の実施の形態に係るシーブを示す図である。
シーブ１０（海底ケーブル積替え用シーブ）は、海底ケーブル１１を工場から貨物船に積替えする際や、海底ケーブル１１を貨物船から海底ケーブル１１の敷設船に積替えする際に用いられる。
【００１４】
シーブ１０は、シーブ本体１２と、シーブ１０を吊り下げるクレーン等が接続される支持枠１３とを備える。
シーブ本体１２は、フレーム１４と、フレーム１４に支持される複数の歯車で構成されるガイド１５と、ガイド１５に巻き掛けられて無限軌道を構成するチェーン１６とを備える。また、シーブ本体１２は、チェーン１６を駆動する駆動源となる電動のモーター１７と、モーター１７とガイド１５とを接続する駆動ベルト１８とを備える。
ガイド１５を構成する歯車のうちの１つは、駆動ベルト１８に直接駆動される駆動歯車１９であり、他の歯車は、従動歯車２０・・・（・・・は複数を示す。以下同じ。）である。ガイド１５は歯車が好ましいが、その他プーリーを用いることができる。無限軌道はチェーンが好ましいが、ベルトを用いることができる。
【００１５】
図２は、フレーム１４の正面図である。
フレーム１４は、略水平方向に延びる棒状のメインフレーム２１と、メインフレーム２１から延びてガイド１５を支持する複数の支持フレーム２２・・・と、支持フレーム２２を補強するサブフレーム２３とを備える。フレーム１４は、鉄鋼材料等の金属材料を溶接して形成される。
メインフレーム２１は、例えば断面が矩形のパイプであり、真っ直ぐに延びる。メインフレーム２１は、支持フレーム２２・・・よりも大径であり、支持フレーム２２・・・よりも高い強度及び剛性を備える。
【００１６】
支持フレーム２２・・・は、図２に示す正面視において、メインフレーム２１の長手方向の中央部２１ａから上方へ放射状に延びるように配置される。各支持フレーム２２・・・は、棒状に形成されており、例えば、パイプや板によって構成される。各支持フレーム２２・・・の長さは略等しい。また、支持フレーム２２・・・の長さは、中央部２１ａからメインフレーム２１の両端までの各長さに略等しい。詳細には、フレーム１４は、支持フレーム２２・・・の先端及びメインフレーム２１の端を順に繋ぐ仮想線が略半円状の円弧Ｃを形成するように形成されている。すなわち、フレーム１４は、メインフレーム２１を弦とし、円弧Ｃを半円周とする略半円状に形成される。
互いに隣接する各支持フレーム２２・・・及びメインフレーム２１の間の周方向の間隔は略等しい。この間隔は、例えば略３０°である。
サブフレーム２３は、各支持フレーム２２・・・の長手方向の中央部２１ａ及びメインフレーム２１を繋ぐように環状に配置される。
【００１７】
支持枠１３は、メインフレーム２１の両端部から上方に延びる一対の柱部２４，２４と、メインフレーム２１と略平行に設けられ、柱部２４，２４の上端を連結する上枠部２５とを備える。上枠部２５は、支持フレーム２２・・・の上方に位置する。支持枠１３は、支持フレーム２２・・・やガイド１５等に重ならないように、例えば、メインフレーム２１の幅方向の一側面側に接続される。支持枠１３は、上枠部２５の長手方向の端部を繋ぐワイヤー２６を有する。シーブ１０は、ワイヤー２６がクレーン等のフックＦに引っ掛けられて吊り下げられることで、地面から浮いた状態で使用される。
【００１８】
各支持フレーム２２・・・は、従動歯車２０・・・を支持する固定部２７・・・を側面に複数備える。固定部２７・・・は、従動歯車２０を回転自在に支持する軸２８（図３参照）が固定される孔である。固定部２７・・・は、各支持フレーム２２において、半円状のフレーム１４の径方向に並んで複数設けられる。
メインフレーム２１は、駆動歯車１９を支持する固定部２９・・・を一方の端部の側面に有する。固定部２９・・・は、駆動歯車１９を回転自在に支持する軸３０が固定される孔である。
また、メインフレーム２１は、従動歯車２０を支持する固定部３１・・・を他方の端部の側面に有する。固定部３１・・・は、従動歯車２０を回転自在に支持する軸３２が固定される孔である。
固定部２９・・・及び固定部３１・・・は、メインフレーム２１において、半円状のフレーム１４の径方向に並んで複数設けられる。
すなわち、固定部２７・・・、固定部２９・・・及び固定部３１・・・は、メインフレーム２１の中央部２１ａに向けて、略半円状のフレーム１４の径方向に複数並べて配置される。
【００１９】
モーター１７は、メインフレーム２１の中央部２１ａに固定され、メインフレーム２１の中央部２１ａ且つメインフレーム２１の下部に位置する。このため、メインフレーム２１の重心位置が、中央且つ下方側となり、吊り下げた際のシーブ１０の安定性が良い。また、メインフレーム２１でモーター１７を支持するため、モーター１７を強固に支持できる。モーター１７は、出力軸（不図示）を有し、駆動ベルト１８は、出力軸の出力歯車に巻き掛けられる。
【００２０】
図３は、従動歯車２０及びチェーン１６の周辺部の拡大図である。図３では、支持フレーム２２・・・の図示が省略されている。
図１及び図３に示すように、駆動歯車１９及び従動歯車２０は、外周部に歯部を備える平歯車であり、中心に挿通される軸２８，３０，３２によって、固定部２７・・・，２９，３１にそれぞれ支持される。
駆動歯車１９及び従動歯車２０・・・は、固定部２７，２９，３１に支持されることで、円弧Ｃ（図２）に沿うように略半円の円弧状の並びで配置される。
作業者等は、略半円状のフレーム１４の径方向に複数並べて配置された各固定部２７・・・、各固定部２９・・・及び各固定部３１・・・において、任意の位置の各固定部を選択して駆動歯車１９及び従動歯車２０・・・をそれぞれ固定することで、駆動歯車１９及び従動歯車２０・・・を設ける位置を変更することができる。
【００２１】
駆動歯車１９は、駆動ベルト１８が巻き掛けられる被動ギヤ部（不図示）を中心部に備える。駆動歯車１９は、モーター１７の駆動力が駆動ベルト１８を介して被動ギヤ部に伝達されることで回転駆動される。本実施の形態では、駆動歯車１９をメインフレーム２１に支持するため、駆動時のフレーム１４の撓みを低減でき、駆動歯車１９をスムーズに回転させることができる。
【００２２】
チェーン１６は、駆動歯車１９及び従動歯車２０・・・に外側から巻き掛けられる無端状に形成され、無限軌道を構成する。チェーン１６は、半円状のフレーム１４を外側から囲うように配置される。チェーン１６は、円弧Ｃに沿う円弧軌道部１６ａと、メインフレーム２１の下面に沿う直線状軌道部１６ｂとを備え、略半円状の無限軌道を構成する。円弧軌道部１６ａの湾曲中心は、メインフレーム２１の中央部２１ａ近傍に位置する。
【００２３】
チェーン１６は、駆動歯車１９及び従動歯車２０・・・の歯部に噛み合っており、駆動歯車１９がモーター１７で駆動されることで駆動歯車１９及び従動歯車２０の外側を周回する。すなわち、チェーン１６は、モーター１７が回転する限り、略半円状の無限の軌道に沿ってその場で周回し続ける。チェーン１６の周回方向は、図１中に矢印Ｒで示される。
ここで、無限軌道は、無端状のチェーン１６やベルトが、駆動歯車１９及び従動歯車２０に沿ってその場で周回するものであれば良い。
チェーン１６は、駆動歯車１９及び従動歯車２０に噛み合う内側面とは反対の外側面１６ｃに、海底ケーブル１１を支持するケーブル支持部３５・・・を複数備える。
【００２４】
図４は、図３のケーブル支持部３５を拡大した図である。図５は、ケーブル支持部３５をチェーン１６の周回方向に見た図である。図６は、ケーブル支持部３５を海底ケーブル１１側から見た図である。ここで、図６では、後述の固定具４２は不図示である。
各ケーブル支持部３５は、外側面１６ｃに固定されてチェーン１６の外側に突出する架台部３６と、架台部３６に設けられる一対のケーブル押さえ部３７，３７とを備える。
詳細には、架台部３６は、平板状の台部３８と、台部３８を外側面１６ｃに溶接等によって固定する固定部３９とを備える。台部３８は、外側面１６ｃに対して略平行に設けられる略矩形の板である。
【００２５】
台部３８は、チェーン１６の幅方向において台部３８の両端部にそれぞれ配置される外側取付孔部４０・・・と、外側取付孔部４０・・・よりも内側に配置される内側取付孔部４１・・・とを備える。外側取付孔部４０・・・及び内側取付孔部４１・・・は、各台部３８において、チェーン１６の長手方向、すなわち無限軌道の周回方向に並んでそれぞれ一対で設けられる。
外側取付孔部４０・・・及び内側取付孔部４１・・・には、ケーブル押さえ部３７，３７を台部３８に固定する固定具４２・・・が結合される。固定具４２・・・は、例えばボルトである。
【００２６】
ケーブル押さえ部３７，３７は、チェーン１６の長手方向に直交する断面視が略直角三角形のブロックであり、チェーン１６の長手方向に延びる。
ケーブル押さえ部３７，３７は、海底ケーブル１１をその斜面部３７ａ，３７ａで押さえることができるように、チェーン１６の長手方向に直交する断面視で、一対の斜面部３７ａ，３７ａが略Ｖ字状となるように配置される。ケーブル押さえ部３７，３７は、摩擦力で海底ケーブル１１を支持し易いように、例えば、ゴムや樹脂等により構成される。
【００２７】
ケーブル押さえ部３７，３７は、斜面部３７ａ，３７ａ側からケーブル押さえ部３７，３７を貫通する孔４３・・・を備え、固定具４２・・・は、孔４３・・・に挿通される。
海底ケーブル１１は、台部３８上に載置されてケーブル押さえ部３７，３７に挟まれるようにしてケーブル支持部３５に支持される。すなわち、海底ケーブル１１は、自重によるケーブル支持部３５との間の摩擦力でケーブル支持部３５に支持される。
【００２８】
ケーブル押さえ部３７，３７は、外側取付孔部４０・・・及び内側取付孔部４１・・・のいずれかを選択して固定されることで、ケーブル押さえ部３７，３７の間の間隔を変更される。すなわち、図５では、ケーブル押さえ部３７，３７は、外側取付孔部４０・・・に固定されているが、固定具４２・・・を介して内側取付孔部４１・・・に固定された場合、ケーブル押さえ部３７，３７の間の間隔はより小さくなる。このように、ケーブル押さえ部３７，３７の間の間隔を変更することで、種々の直径の海底ケーブル１１を効果的に押さえることができる。ここで、ケーブル押さえ部３７，３７は、サイズの異なるものが複数用意されても良い。
【００２９】
図７は、チェーン１６の構造を示す図である。
チェーン１６は、内側リンク４５・・・と、外側リンク４６・・・とを備え、内側リンク４５・・・と外側リンク４６・・・とを交互に複数配列して環状に結合することで無端状に形成される。
各外側リンク４６は、一対のアウタープレート４７，４７と、アウタープレート４７，４７を連結する一対の連結ピン４８，４８とを備える。アウタープレート４７，４７は、チェーン１６の周回方向に長い略矩形の平板である。
【００３０】
アウタープレート４７，４７は、チェーン１６の周回方向に長い略矩形の平板であり、連結ピン４８，４８は、アウタープレート４７，４７の長手方向の両端部に設けられる。
内側リンク４５は、チェーン１６の周回方向に長い略矩形の平板であり、連結ピン４８，４８が挿通されるピン孔４９，４９を長手方向の両端部に備える。内側リンク４５は、アウタープレート４７，４７の間に挟んで配置され、連結ピン４８によって外側リンク４６に連結される。互いに隣接する外側リンク４６，４６は、内側リンク４５によって連結される。
【００３１】
駆動歯車１９及び従動歯車２０・・・の歯部は、アウタープレート４７，４７の間に入り込み、内側リンク４５の端を押圧することで、チェーン１６を駆動及びガイドする。
ケーブル支持部３５・・・は、各外側リンク４６に設けられる。詳細には、各ケーブル支持部３５の台部３８は、アウタープレート４７，４７の外縁部に溶接される。
作業者等は、チェーン１６の連結ピン４８を抜いて内側リンク４５・・・及び外側リンク４６・・・の数を調整することで、必要に応じてチェーン１６の長さを調整できる。
【００３２】
図１に示すように、海底ケーブル１１は、チェーン１６の円弧軌道部１６ａの各ケーブル支持部３５・・・上に湾曲した状態で支持され、モーター１７の駆動によるチェーン１６の周回によって送られる。
海底ケーブル１１は、例えば光ファイバーを内部に収容したケーブルであり、許容される最小曲げ半径（海底ケーブルの許容曲げ範囲）を有する。
シーブ１０で海底ケーブル１１を積替えする際には、円弧軌道部１６ａの半径が上記最小曲げ半径よりも大きな値となるように、円弧軌道部１６ａの半径が調整される。詳細には、駆動歯車１９及び従動歯車２０・・・をフレーム１４に固定する位置を変更することで、円弧軌道部１６ａの半径は変更される。
【００３３】
図１に示す状態では、駆動歯車１９及び従動歯車２０・・・は、最も外側の固定部２７，２９・・・，３１に固定されているため、円弧軌道部１６ａの半径は大きくなっている。これに対し、図２に示すように、最も中央部２１ａに近い側の固定部２７，２９・・・，３１に駆動歯車１９及び従動歯車２０・・・（図２では従動歯車２０の一部は不図示）を固定した場合、円弧軌道部１６ａの半径は小さくなる。このように、円弧軌道部１６ａの半径を変更可能であるため、円弧軌道部１６ａの湾曲度を海底ケーブル１１の最小曲げ半径に合わせて最適化でき、海底ケーブル１１を効率良く送ることができる。
【００３４】
また、海底ケーブル１１の最小曲げ半径が小さい場合には、駆動歯車１９及び従動歯車２０・・・の位置を中央部２１ａ側に寄せることができるため、シーブ１０をコンパクトにした状態で使用できる。駆動歯車１９及び従動歯車２０・・・は重量物であるため、駆動歯車１９及び従動歯車２０・・・を中央部２１ａ側に寄せることで重心が中央部２１ａ側になり、シーブ１０の扱いが容易になる。さらに、海底ケーブル１１の最小曲げ半径等に応じて、従動歯車２０・・・の一部を取り外した状態でシーブ１０を稼動させることができる。この場合、従動歯車２０の数が減った分だけシーブ１０を軽量にできる。駆動歯車１９及び従動歯車２０・・・のサイズは、円弧軌道部１６ａの半径に合わせて変更しても良い。
また、支持フレーム２２・・・が柱状であり、隣接する支持フレーム２２，２２の間は空間であるため、シーブ１０を軽量に構成でき、シーブ１０が扱い易くなる。
【００３５】
円弧軌道部１６ａの半径を変更した場合、チェーン１６の長さも合わせて変更される。本実施の形態では、連結ピン４８を抜いて内側リンク４５・・・及び外側リンク４６・・・の数を増減させることで、容易にチェーン１６の長さを調整できる。
また、駆動歯車１９の固定位置を変更した場合、合わせて駆動ベルト１８の長さも調整される。
【００３６】
以上説明したように、本発明を適用した実施の形態によれば、シーブ１０のシーブ本体１２が無限軌道であるチェーン１６を用いて構成されているため、チェーン１６に沿わせて海底ケーブル１１を送ることができる。これにより、シーブ本体１２を円形にする必要がないため、シーブ１０を小型にできる。また、大きなシーブ１０は自転せず、チェーン１６が周回するだけであるため、省エネルギー化を図ることができる。
また、シーブ本体１２のチェーン１６が海底ケーブル１１の許容曲げ範囲である最小曲げ半径以上の曲げ半径で湾曲するため、海底ケーブル１１を、湾曲するチェーン１６に沿わせることができる。これにより、海底ケーブル１１とチェーン１６との間の摩擦力を大きくでき、海底ケーブル１１を効率良く送ることができる。
また、シーブ本体１２の無限軌道としてのチェーン１６は、複数のガイド１５で略半円の円弧状の並びとなるように配置され、チェーン１６が円弧状に案内されるため、湾曲したチェーン１６を簡単な構成で得ることができるとともに、チェーン１６を円形よりもコンパクトな略半円の円弧状にすることができ、シーブ１０を小型化できる。
【００３７】
また、ガイド１５は、フレーム１４にそれぞれ支持されるため、ガイド１５をフレーム１４で確実に支持して無限軌道を構成できる。
また、ガイド１５を支持する支持フレーム２２・・・は、複数設けられる柱状であるため、支持フレーム２２・・・を小型化できる。
【００３８】
さらに、ガイド１５は、フレーム１４上でチェーン１６の湾曲中心に向けて支持位置を変更可能であるため、ガイド１５の位置を変更することでチェーン１６の湾曲形状を変更できる。このため、許容される曲げ半径が異なる海底ケーブルに対応できる。
また、ガイド１５の１つの駆動歯車１９が回転駆動されることでチェーン１６が駆動されるため、簡単な構成でチェーン１６を駆動できる。
また、ガイド１５の駆動歯車１９が回転駆動されることでチェーン１６が駆動され、フレーム１４は、ガイド１５を支持する支持フレーム２２・・・と、支持フレーム２２・・・を支持するメインフレーム２１とを備え、駆動歯車１９を回転駆動するモーター１７は、メインフレーム２１に支持されるため、モーター１７をメインフレーム２１で強固に支持できる。
【００３９】
また、ガイド１５が歯車であり、無限軌道がチェーンであるため、簡単な構造で無限軌道を形成できる。
さらに、チェーン１６は幅方向の両側にケーブル押さえ部３７，３７を備えるため、ケーブル押さえ部３７，３７によって海底ケーブル１１を確実に支持してチェーン１６で海底ケーブル１１を送ることができる。
また、ケーブル押さえ部３７，３７は、幅方向に移動自在に構成されているため、ケーブル押さえ部３７，３７を移動することで、異なる径の海底ケーブルを押さえることができる。
【００４０】
なお、上記実施の形態は本発明を適用した一態様を示すものであって、本発明は上記実施の形態に限定されるものではない。
上記実施の形態では、ガイド１５の１つの駆動歯車１９が回転駆動されることでチェーン１６が駆動されるものとして説明したが、本発明はこれに限定されるものではない。チェーン１６は少なくとも１つの駆動歯車１９によって駆動されれば良く、２つ以上の駆動歯車で駆動されても良い。例えば、従動歯車２０・・・の１つを駆動歯車に変更してこの駆動歯車をベルトを介してモーター１７で駆動し、２つの駆動歯車でチェーン１６を駆動しても良い。
また、上記実施の形態では、駆動歯車１９は、メインフレーム２１の固定部２９に設けるものとして説明したが、本発明はこれに限定されるものではない。例えば、駆動歯車１９は、中央部２１ａから略鉛直に延びる支持フレーム２２に設けても良い。この場合、円弧軌道部１６ａの頂点部側の駆動歯車でチェーン１６を駆動できるため、例えば、この駆動歯車とその両隣の従動歯車２０，２０のみでガイド１５を構成でき、円弧軌道部１６ａの半径を小さくできるとともに、シーブ１０を軽量化できる。
また、上記実施の形態では、支持フレーム２２・・・は、複数設けられる柱状であるものとして説明したが、本発明はこれに限定されるものではない。例えば、支持フレームは、図２の円弧Ｃに沿う略半円のアーチ状であっても良い。この場合、アーチ状の部分に固定部２７・・・をそれぞれ設けることができ、また、アーチ状の内側は空間となるため、シーブ１０を軽量化できる。
【符号の説明】
【００４１】
１０  シーブ（海底ケーブル積替え用シーブ）
１１  海底ケーブル
１２  シーブ本体
１４  フレーム
１５  ガイド
１６  チェーン（無限軌道）
１７  モーター（駆動源）
２１  メインフレーム
２２・・・  支持フレーム
３７，３７  ケーブル押さえ部（海底ケーブル押さえ）
【図１】
2016063594.tif 000003
【図２】
2016063594.tif 000004
【図３】
2016063594.tif 000005
【図４】
2016063594.tif 000006
【図５】
2016063594.tif 000007
【図６】
2016063594.tif 000008
【図７】
2016063594.tif 000009